(57)【要約】【課題】  生桑葉を、低温で短時間の乾燥・粉砕を行い、有効成分を有効量にて葉中に保持させながらこれを桑葉粉末として取り出し、これを絹糸染色釜に入れ、染色加工し、その後、媒染料を添加加工して絹繊維にこの有効成分を有効量にて含有させる今までにない染色絹糸の作成方法を提供することを目的とする。【解決手段】  桑の葉を使用して絹糸に染色加工した場合、紅いろ色調に染着されることが一般である。本発明は特開２００２−１７１９１８号に出願された桑葉粉末の特性を生かし、これを絹糸繊維の染色にも利用することにより、従来の方法では達成出来なかった生桑葉の低温での短時間の乾燥・粉砕を可能とすることによって、絹の有効成分を熱分解せず、染色処理後の桑葉中に有効な量で優れた色素を残留させることもでき、深みのあるグリーン色の染色機能のある新しい絹生地糸を提供させる。【選択図】      なし【特許請求の範囲】
【請求項１】
桑葉粉末を粉砕・乾燥装置に桑葉を滞留時間約８秒間、粉砕・乾燥条件にて導入し、桑葉粉末を水分含有料２．１重量％、平均粒径約２０ミクロン粉末に形成させた乾燥桑葉粉末を、温度７０℃程度にして、最初炭酸カリウムを添加して染色釜にて煮染めて繰り返し染色を続け、その染色後、その染色釜に常温にて媒染料を数回入れ、空気酸化後数回水洗して桑の葉を染め上げることを特徴とする桑の葉微粉末による染色絹糸の作成方法。
【請求項２】
染め物に対する媒染料の形成量パーセントを酢酸アルミニュウム２％ｏｗｆ、酢酸酢２％ｏｗｆ、木酢酸鉄１％ｏｗｆにて配分形成して使用させることを特徴とする特許請求項１記載の桑の葉微粉末による染色絹糸の作成方法。
【発明の詳細な説明】
【技術分野】
【０００１】  本発明は、一般に低温での短時間での乾燥、微粉末に粉砕して、健康食品等を提供出来る生桑の葉の有効成分を、有効量にて成分を維持しながら炭酸カリウムを添加して染色物を加え、染色を繰り返し、その後に媒染剤を使用し空気酸化後水洗させることにより、桑葉粉末健康食品ではなく、絹染色に染色工程用材として媒染剤と共に提供し、今日の丹後絹縮緬織物よりもより高品位の丹後絹縮緬織物糸に移行させるその作成方法に関する。
【背景技術】
【０００２】  従来の桑葉粉末の形成方法としては、生桑葉を、低温での短時間の乾燥・粉砕を可能とすることにより、有効成分を有効量にて葉中に保持しながら桑葉粉末を製造する方法があり、この方法により得られる桑葉粉末、及びこの桑葉粉末を含有する蚕飼育用人工飼料及び健康食品に提供し使用させる特許がすでに特願２０００−３６７１６７号にて出願されている（例えば、特許文献１参照。）。【０００３】  この従来の発明は特許請求の範囲に、桑葉粉末として取り出す桑粉末の製造方法において、最終製品としての桑葉粉末の内部温度を９０度Ｃを超えない温度にて生じる上昇熱風の複合旋回流により乾燥させる桑葉粉末であると明示され、しかも、桑葉製造方法並びに乾燥された桑葉粉末を含有する蚕飼育用人工飼料、並びに乾燥された桑葉粉末を含有する健康食品であると明示されている。【０００４】  かかる従来の発明の方法により得られる桑葉粉末は、１００μｍ以下の桑葉粒子のものが全体の８０％以上を占めるように粉砕し、乾燥し、粉砕及び乾燥される桑葉粉末の内部温度が９０℃を超えない温度以下と遵守するものであり、しかもこの発明の桑葉粉末は、１００グラム中の総アスコルビン酸含有量が４００ｍｇ以上のものでもある。【０００５】  この様にして粉砕・乾燥装置に桑葉を滞留時間約８秒間の粉砕・乾燥条件にて導入し、桑葉粉末より得られた粉末結果は、鮮やかな緑色、即ちグリーンを呈し、水分含有量２．１重量％、平均粒径約１８．７μｍにて取得でき、しかも粒径１００μｍ以下が桑葉粉末全体の約９０％を占める粒径分布を含有する健康食品を得ることができる（特許文献１参照。）。【０００６】
【技術文献１】
特開２００２−１７１９１８号公報  （特許請求の範囲、課題を解決するための手段、００１７項目、）
【０００７】  次に絹の糸に媒染剤を用いて染色処理を行う方法として、特開平０５−３１１５８２号公報があり、予め絹にタンニン酸を含む前処理液と接触させてタンニン酸処理をした後、必要に応じて吐酒石による固着処理を行い、ついで草木灰などの媒染剤を含む媒染液と接触させてタンニン酸の固着と媒染とを行ってから、媒染後の繊維製品を紅花の抽出物を含む染液と接触させて染色反応させる方法が示されている。
即ち、タンニン酸処理を行ってから媒染処理しその後に染色処理（紅色染色）を行っている。
【０００８】  またこの出願にはタンニン酸処理後に媒染剤を含む媒染液と接触反応させてタンニン酸の固着と媒染とを行う。と明示され、この工程を経ないと次工程である染色工程における染着性及び染着堅牢度が不足するようになると表示されている。
【０００９】  ここで使用する媒染剤として、ツバキ灰、サワフタキ灰、ヒサカキ灰、クヌギ灰、アカサ灰、草木灰（木炭や薬灰）を用いることが好ましいと示され、これらの草木灰はアルミニウムイオンのほか、染色に有用な他の金属イオンやアルカリ物質を含んでいると示されている。
【００１０】  これらの草木灰と共にあるいは上記の草木灰に代えて酢酸アルミニウム等など、また上記の草木灰に代えて木酢酸鉄等の鉄塩、酢酸銅等の銅塩なども用いることができると表示されている。しかしこの出願はタンニン酸処理および媒染後は、繊維製品を紅花の抽出物を含む染液と接触させることにより染色されると明示されている。従って今回出願される本発明はタンニン酸処理も行われず、染色が先に続けて行われてから媒染料が数回に分けて投入され、その染色物は途中一度上げて空気酸化する本発明の染色工程を行うため、この特開平０５−３１１５８２号出願とは類似していない。
【００１１】  特開平０６−１７３１７６号公報には、絹にタンニン酸又はカチオン化剤を含む前処理液と接触させてカチオン化処理後、更にタンニン酸処理することもでき、ついで茶の抽出物を含む染液と接触させて染色反応させる方法も示されている。
即ち、染色反応の前に、媒染剤を含む媒染液と接触させて媒染処理をすることも出来、また媒染反応及び染色反応を同時に行うことも出来ることが明示されている。ただし、この発明には酢酸銅は媒染後に染色と明記されており、媒染時に媒染料として用いられるものではない。
【００１２】  特開２００１−２９５１８４号公報には、カチオン化処理剤の使用明記はなく、絹にタンニン酸を含む前処理液と接触させて前処理し、ついで茶の抽出物を含む染液と接触させて染色反応させる方法であることが示されている。
即ち、染色反応の前に、媒染剤を含む媒染液と接触させて媒染処理をすることも出来、また媒染反応及び染色反応を同時に行うことも出来ることが明示されている。ただし、この発明にも酢酸銅は媒染後に染色と明記されており、媒染時に媒染料として用いられるものではない。
【００１３】
【技術文献２】
特開平０５−３１１５８２号公報（要約書項目、００２５〜００２８項目、）
【技術文献３】
特開平０６−１７３１７６号公報（要約書項目、表２〜表４、）
【技術文献４】
特開２００１−２９５１８４号公報（要約書項目、表３〜表５、）
【発明の開示】
【発明が解決しようとする課題】
【００１４】  このように従来から採用されている、あるいは提案されている絹の染色方法において、被染物である絹にカチオン基を用いる場合、カチオン基を導入する工程が複雑で、工業性などの点で問題があると言われ、その解決が強く望まれている。
本発明に明示される桑の葉微粉末の染色による絹繊維は、生桑葉を低温での短時間の乾燥・粉砕し、有効成分を有効量にて葉中に保持させながら、桑葉粉末の内部温度が９０℃を超えない温度にて乾燥させ、生桑葉を対流時間３０秒以内で粒径１００μｍ以下の桑葉粒子全体の約８０％以上を占めるように粉砕し乾燥させた粒径分布を含有する健康食品を得ることができると明示されている形態にて形成される乾燥桑葉粉末を採用し、この方法により得られる大切な桑葉粉末の使用効能を、桑葉粉末を含有する蚕飼育用人工飼料および健康食品に提供だけではなく、本発明は生絹糸の染色工程にもこの方法を提供できるようにすることを目的とするものである。
【課題を解決するための手段】
【００１５】  本発明は上記目的を達成するために、まず特開２００２−１７１９１８号公報の実施例１に記載される生桑葉（水分含有量約７０％、品質；みなみさかり）を予め数センチ幅の短冊形に切断し、粉砕・乾燥させる。得られる桑葉粉末は、鮮やかなグリーン色素を呈し、操作滞留時間約８秒間にて、水分含有量２．１重量％、平均粒径２０ミクロンの特開２００２−１７１９１８号実施例１記載の桑の葉微粉末を作用構築させ、本発明の染色工程において使用する。【００１６】  次に、使用する桑の葉微粉末に炭酸カリウムを添加し、染色作用を続け、常温で媒染料、即ち酢酸アルミニュウム・酢酸銅・木酢酸鉄を入れ、空気酸化後数回水洗し、桑の葉微粉末染色工程によって構成される絹糸繊維を提供する。
【発明の効果】
【００１７】  本発明の最大の効果は、使用される桑葉粉末は、従来法に比べ、低温かつ短時間で粉砕・乾燥されるため、ビタミン類や電解質を初めとする有効成分を有効量にて絹糸に含有させることができ、この本発明の含有された有効成分を衣類の絹糸にて構成させた場合には、桑葉粉末が発揮する優しい効果を衣類を着た身体に体験させることができる。
また、本発明の絹糸にて着物を構成した場合には、着物の臭いがいやし系にて構成され、今までにない丹後縮緬織物効果を得ることができる。
【発明を実施するための最良の形態】
【００１８】  発明を実施するため本発明に使用する特開２００２−１７１９１８号桑葉粉末の使用形態としては、桑の葉は桑葉粉末１００グラム中の総アスコルビン酸含有量が４００ｍｇ以上であることを特徴とし、ここで使用されるアスコルビン酸は、人および動物の生体機能にも有効な成分であり、酸化および熱分解し易い物質でもある。そのためアスコルビン酸を粉砕して乾燥させ、桑葉粉末にこのような有効量にて残存させることが本発明を実施するための本発明の最良の形態である。
【実施例】
【００１９】  本発明で実施する絹繊維糸に対する桑の葉（微粉末）染色工程を下記に箇条的に示す。【００２０】  ▲１▼  まず、染色すべき絹糸を、５０〜６０℃の湯で１０分間ほど操り、不純物を、洗い落とす。
▲２▼  染色釜に７０℃程度のお湯をはり、桑の葉（微粉末）を攪拌しながら、例えば染糸の量２６４０グラムに対して微粉末を５０グラムの割合に入れる。
次に、これを徐々に昇温して沸騰させ、炭酸カリウムを添加してｐＨ９−９．５に保ち２０分程煮出させる。【００２１】  ▲３▼  ▲２▼に染色物をいれ、繰りながら１０分間ほど煮染め後、温度が７０℃になるまで染色を続ける。
▲４▼  染色物を染浴よりあげて常温になるまで空繰りする。【００２２】  ▲５▼  次に、新たな染色釜に常温で媒染料を入れ、２０分間▲４▼を染める。
媒染料は、数回に分けていれる。染色物は、途中一度上げて空気酸化する。【００２３】  ▲６▼  水洗後、▲３▼の液を昇温させ媒染料に使用している酢酸類とは全く異なる別の酢酸を加えてｐＨ６に保ち▲５▼を操りながら７０℃程度に下げる。
▲７▼  空気酸化後、数回水洗する。【００２４】  これにより、深みのあるグリーン色のある染色絹生地糸が得られ、得られた染色糸は染着性が良好で、染色堅牢度も高い桑の葉（微粉末）染色絹糸を得ることができる。【００２５】上記使用媒染料は      酢酸アルミニュウム  ２％ｏｗｆ
酢酸銅              ２％ｏｗｆ
木酢酸鉄            １％ｏｗｆ
の形態にて構成されている。
なお、％ｏｗｆとあるのは、被染物である繊維製品の重量に対するパーセントを意味する。
染色浴比  は  １：３０    である。
【産業上の利用可能性】
【００２６】  本発明の産業上の利用可能性は、一般に桑の葉を使用し絹糸に染色した場合、自然感のある独特の色調（紅色）に染着されることが一般である。本発明は特開２００２−１７１９１８号にて桑葉粉末を作成し、従来の出願の桑葉粉末が蚕飼育用人工飼料および健康食品に提供するだけのものである桑葉粉末を、絹糸の染色に有効に利用することにより、従来法では達成出来なかった生桑葉の低温での短時間の乾燥・粉砕を可能とすることができ、絹の有効成分を熱分解せず、染色処理後の桑葉中に有効な量で色素を残存させることで深みのあるグリーン色の染色機能のある絹生地糸を得ることができた。
【手続補正書】
【提出日】平成17年4月25日(2005.4.25)
【手続補正１】
【補正対象書類名】特許請求の範囲
【補正対象項目名】請求項１
【補正方法】変更
【補正の内容】
【請求項１】
染色すべき絹糸を、温度５０〜６０℃の湯で１０分間ほど操った後、不純物を洗い落とし、予め数センチ幅の短册形に切断した桑葉粉末を粉砕・乾燥させ、得られる桑葉粉末を操作滞留時間約８秒間、粉砕・乾燥条件にて導入し、桑葉粉末を水分含有量２．１重量％、平均粒径２０ミクロン粉末に形成させた乾燥桑葉粉末を徐々に昇温して沸騰させ、温度７０℃にて、最初炭酸カリウムを添加して染色釜にて煮染め、これに染色物を入れ、繰り返し染色を続け、その染色後、新たに染色釜に常温にて媒染料を数回に分けて入れ、染色物を途中一度上げて空気酸化させ、水洗後に、媒染料に使用している酢酸類とは全く異なる別の酢酸を加え、染め上げ、温度を７０℃に下げ再び空気酸化後、数回水洗いしてグリーン色の桑の葉染色絹糸が得られることを特徴とする桑の葉微粉末による染色絹糸の作成方法。
【手続補正２】
【補正対象書類名】特許請求の範囲
【補正対象項目名】請求項２
【補正方法】変更
【補正の内容】
【請求項２】
染め物に使用する媒染料の形成量パーセントを酢酸アルミニュウム２％ｏｗｆ、酢酸銅２％ｏｗｆ、木酢酸鉄１％ｏｗｆにて配分形成して使用させることを特徴とする特許請求項１記載の桑の葉微粉末による染色絹糸の作成方法。
【手続補正３】
【補正対象書類名】明細書
【補正対象項目名】００１４
【補正方法】変更
【補正の内容】
【００１４】このように従来から採用されている、あるいは提案されている絹の染色方法において、被染物である絹にカチオン基を用いる場合、カチオン基を導入する工程が複雑で、工業性などの点で問題があると言われ、その解決が強く望まれている。
本発明に明示される桑の葉微粉末の染色による絹繊維は、生桑葉を低温での短時間の乾燥・粉砕し、有効成分を有効量にて葉中に保持させながら、桑葉粉末の内部温度が７０℃を超えない温度にて乾燥させ、生桑葉を対流時間３０秒以内で粒径１００μｍ  以下の桑葉粒子全体の約８０％以上を占めるように粉砕し乾燥させた粒径分布を含有する健康食品を得ることができると明示されている形態にて形成される乾燥桑葉粉末を採用し、この方法により得られる大切な桑葉粉末の使用効能を、桑葉粉末を含有する蚕飼育用人工飼料および健康食品に提供だけでなく、本発明は生絹糸の染色工程にもこの方法を提供できるようにすることを目的とするものである。
【手続補正４】
【補正対象書類名】明細書
【補正対象項目名】００１５
【補正方法】変更
【補正の内容】
【００１５】本発明は上記目的を達成するために、まず特開２００２−１７１９１８号公報の実施例１に記載される生桑葉（水分含有量約７０％、品質；みなみさかり）を予め数センチ幅の短冊形に切断し、粉砕・乾燥させる。得られる桑葉粉末は、鮮やかなグリーン色素を呈し、操作滞留時間約８秒間にて、水分含有量２．１重量％、平均粒径２０ミクロンの細粉末にするため、ビタミンＣの要素が壊れてなく生葉に近い状態にして、特開２００２−１７１９１８号実施例１記載の桑の葉徴粉末を絹生糸にたたいて入れ作用構築させ、本発明の染色工程において使用する。
【手続補正５】
【補正対象書類名】明細書
【補正対象項目名】００１７
【補正方法】変更
【補正の内容】
【００１７】本発明の最大の効果は、使用される桑葉粉末は、生の桑をビタミンＣがなく、使用できる状態を維持した従来法に比べ、低温かつ短時間で粉砕・乾燥されるため、、桑葉は生葉そのままで８秒間で２０ミクロンの細粉末にするため、ビタミン類や電解質を初めとする有効成分を有効量にて、特殊瞬間乾燥法にてビタミンＣが壊れていない生の状態にして鮮やかなグリーン色素を絹糸に含有させることができ、染色性も極めて良く、  この本発明の含有された有効成分を衣類の絹糸にて構成させた場合には、桑葉粉末が発揮する優しい効果を衣類を着た身体に体験させることができる。
また、本発明の絹糸にて着物を構成した場合には、着物の臭いがいやし系にて構成され、今までにない丹後縮緬織物効果を得ることができる。
【手続補正６】
【補正対象書類名】明細書
【補正対象項目名】００２０
【補正方法】変更
【補正の内容】
【００２０】▲１▼  まず、染色すべき絹糸を、５０°〜６０°Ｃの湯で１０分間ほど操り、不純物を、洗い落とす。
▲２▼  染色釜に７０℃のお湯をはり、桑の葉（微粉末）を攪拌しながら、例えば染糸の量２６４０グラムに対して微粉末を５０グラムの割合に入れる。
次に、これを徐々に昇温して沸騰させ、炭酸カリウムを添加してｐＨ９−９．５に保ち２０分程煮出させる。
【手続補正７】
【補正対象書類名】明細書
【補正対象項目名】００２３
【補正方法】変更
【補正の内容】
【００２３】▲６▼  水洗後、▲３▼の液を昇温させ媒染料に使用している酢酸類とは全く異なる別の酢酸を加えてｐＨ６に保ち▲５▼を操りながら７０℃に下げる。
▲７▼  空気酸化後、数回水洗する。